(57)【要約】【課題】本発明は，単位電池の形状を維持することができる十分な強度を有し，単位電池の温度制御に効率的な隔壁を含む電池モジュールを提供する。【解決手段】本発明による電池モジュールは，間隔をおいて配列される複数の単位電池１１と，複数の単位電池の間に配置される隔壁２０と，を含み，隔壁は，単位電池に支持されるベース２１と，絶縁物からなり，ベースから突出形成され，単位電池を支持する複数の突出部材２２と，を含むことを特徴としている。【選択図】図１
2006294626.tif 000002
【特許請求の範囲】
【請求項１】
間隔をおいて配列される複数の単位電池と；
前記複数の単位電池の間に配置される隔壁と；
を含み，
前記隔壁は，前記単位電池に支持されるベースと；
絶縁物からなり，前記ベースから突出形成され，前記単位電池を支持する複数の突出部材と；
を含むことを特徴とする，電池モジュール。
【請求項２】
前記ベースは，板形状に形成されることを特徴とする，請求項１に記載の電池モジュール。
【請求項３】
前記ベースは，バー形状に形成されることを特徴とする，請求項１に記載の電池モジュール。
【請求項４】
前記複数の突出部材は，セラミックまたはプラスチックからなることを特徴とする，請求項１に記載の電池モジュール。
【請求項５】
前記ベースは，板形状に形成され，
前記複数の突出部材は，前記形状のベースの一面にだけ配置されることを特徴とする，請求項１に記載の電池モジュール。
【請求項６】
前記ベースは，導電性であることを特徴とする，請求項１に記載の電池モジュール。
【請求項７】
前記ベースは，絶縁性であることを特徴とする，請求項１に記載の電池モジュール。
【請求項８】
前記突出部材は，前記ベースと別体に形成されて，前記ベースに固定設置されることを特徴とする，請求項１に記載の電池モジュール。
【請求項９】
前記突出部材は，前記ベースに形成された溝に挿入されて固定設置されることを特徴とする，請求項８に記載の電池モジュール。
【請求項１０】
前記突出部材および前記ベースは，一体に形成されることを特徴とする，請求項１に記載の電池モジュール。
【請求項１１】
前記突出部材は，円形，側面が傾いた台形，または四角形の断面を有して形成されることを特徴とする，請求項１に記載の電池モジュール。
【請求項１２】
前記電池モジュールは，モータを駆動するための電源として使用されることを特徴とする，請求項１に記載の電池モジュール。
【発明の詳細な説明】
【技術分野】
【０００１】
本発明は,電池モジュールに関し，より詳しくは，単位電池の形状を維持可能な十分な強度を有し，単位電池の温度制御に効率的な隔壁を含む，電池モジュールに関する。
【背景技術】
【０００２】
二次電池は，充電ができない一次電池とは異なり，充電および放電が可能な電池であって，その中でも低容量の二次電池は，携帯電話，ラップトップコンピュータ，カムコーダーなどの携帯が可能な小型電子機器に使用され，大容量の二次電池は，ハイブリッド電気自動車などのモータ駆動用電源として幅広く使用されている。
【０００３】
上記二次電池は，多様な形状に製造されているが，代表的な形状としては，円筒形，角形などがあり，大電力を必要とする機器，例えば上記ハイブリッド電気自動車などのモータ駆動用に使用される場合には，複数の二次電池による電池モジュールを構成することとなる。
【０００４】
このように，電池モジュールは，通常は直列に連結される複数の二次電池（以下，単位電池）からなり，上記各々の単位電池は，正極および負極が隔離板を間において位置する電極組立体と，上記電極組立体が挿入される空間部が形成されたケースと，上記ケースに結合されてこれを密閉するキャップ組立体とを含む。
【０００５】
ここで，上記キャップ組立体は，上記正極および上記負極に各々電気的に連結されつつ，上記ケースの内，外部にわたって配置される端子（正極端子，負極端子）を含む。
【０００６】
上記単位電池が角形である場合，上記単位電池は，キャップ組立体の上部に突出した正極端子および負極端子が，隣接する単位電池の正極端子および負極端子と交差するように交差配列された状態で，外周面の一部がねじ加工された上記正極端子および上記負極端子に導電体の連結具がナットによって嵌合され，互いに電気的に連結して電池モジュールを構成する。
【０００７】
ここで，上記電池モジュールは，数個から多くは数十個の単位電池を連結して一つの電池モジュールを構成するので，各単位電池で発生する熱を容易に放出する必要があり，特に上記単位電池が電動掃除機，電動スクーター，または自動車用（電気自動車またはハイブリッド電気自動車）のモータ駆動用の大容量二次電池に適用される場合，上記熱の放出は何よりも重要であるといえる。
【０００８】
その理由は，電池モジュールにおける熱の放出がうまく行われないと，電池モジュールの温度が各単位電池で発生する熱によって過度に上昇し，それによって上記電池モジュールが適用された機器の誤作動が生じるためである。
【０００９】
これにより，通常の電池モジュールを構成する時には，単位電池と単位電池との間に隔壁を配置し，上記隔壁によって形成される単位電池の間の空間を活用して，単位電池の冷却はもちろん，上記単位電池が熱膨張して変形するのを防止している。
【００１０】
上記隔壁は，このような機能を行うために，十分な強度を有する必要があり，かつ，効果的に熱を放出することができる構造的な特徴を有するのが好ましい。
【００１１】
しかし，従来の電池モジュールに配置される隔壁は，上記二種類の条件を同時に満たすことができず，消費者が望む良質の電池モジュールを構成するのが困難であった。
【００１２】
つまり，隔壁が十分な強度を有するようにする場合には，製造原価が高くなって，冷却用空気の通行流路の設計に制約が加えられる問題点があり，これとは反対に，隔壁が効果的に熱を放出して冷却効率が向上するように構成する場合には，構造的に弱くなる短所がある。
【発明の開示】
【発明が解決しようとする課題】
【００１３】
本発明は，上記の諸般の問題点を勘案して案出されたものであり，本発明の目的は，単位電池の形状を維持することができる十分な強度を有し，単位電池の温度制御に効率的な隔壁を含む，新規かつ改良された電池モジュールを提供することである。
【課題を解決するための手段】
【００１４】
上記課題を解決するために，本発明のある観点によれば，間隔をおいて配列される複数の単位電池と；上記複数の単位電池の間に配置される隔壁と；を含み，上記隔壁は，上記単位電池に支持されるベースと；絶縁物からなり，上記ベースから突出形成され，上記単位電池を支持する複数の突出部材と；を含むことを特徴とする，電池モジュールが提供される。
【００１５】
上記ベースは，板形状に形成されてもよく，バー形状に形成されてもよい。
【００１６】
上記複数の突出部材は，セラミックまたはプラスチックからなってもよく，上記板形状に形成されたベースの一面にだけ配置されてもよい。
【００１７】
上記ベースは，導電性であってもよく，絶縁性であってもよい。
【００１８】
上記突出部材は，上記ベースと別体に形成されて，上記ベースに固定設置されてもよく，上記ベースに形成された溝に挿入されて固定設置されてもよい。
【００１９】
上記突出部材および上記ベースは，一体に形成されてもよい。
【００２０】
上記突出部材は，円形，側面が傾いた台形，または四角形の断面を有して形成されてもよい。
【００２１】
上記電池モジュールは，モータを駆動するための電源として使用されるとしてもよい。
【発明の効果】
【００２２】
以上説明したように本発明によれば，隔壁の構造を改善し，その材質を絶縁体（非導体）とすることによって，単位電池の間の電気的短絡を防止することができ，単位電池の絶縁のために別途の部材を使用する必要がなくなり，電池の製造単価を下げることができる。
【００２３】
また，隔壁の構造および隔壁を通過する空気の流通構造を改善することによって，隔壁の強度を確保しつつ，単位電池の変形を防止することができるので，熱交換効率を向上させることが可能となる。
【００２４】
また，隔壁を通過する空気の進行方向を自由に設計することができるので，電池モジュールの設計範囲を拡張することができる。
【発明を実施するための最良の形態】
【００２５】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２６】
図１は，本発明の実施形態による二次電池モジュールを概略的に示した側断面図である。図１を参照すれば，本実施形態による電池モジュール１０は，任意の間隔をおいて配列される複数の単位電池１１１，１１２，…，１１ｎを含む。
【００２７】
本実施形態では，上記単位電池１１１，１１２，…，１１ｎは角形二次電池であるが，これは通常の角形二次電池と同様に，ケースの内部に正極，負極，およびセパレータからなる電極群を挿入し，上記ケースにキャップ組立体を設置して構成される。
【００２８】
上記単位電池１１１，１１２，…，１１ｎの間には，隔壁２０が配置される。この隔壁２０は，冷却媒体（本実施形態では空気）が上記単位電池１１１，１１２，…，１１ｎの間に流通するように形成され，かつ，上記単位電池１１１，１１２，…，１１ｎに連結されて，この単位電池１１１，１１２，…，１１ｎを支持する。
【００２９】
このような単位電池１１１，１１２，…，１１ｎおよび隔壁２０は，締結手段，即ち単位電池１１１，１１２，…，１１ｎおよび隔壁２０からなる単位電池集合体の最外郭両端に配置されるエンドプレート１３，および上記エンドプレート１３にねじ結合されつつ，単位電池１１１，１１２，…，１１ｎおよび隔壁２０を固定するリストレイントロッド（ｒｅｓｔｒａｉｎｔ
ｒｏｄ）１４によって，一つのアセンブリーをなすことができる。
【００３０】
このようなアセンブリーは，上記空気が流入する流入口１２ａ，および上記単位電池１１１，１１２，…，１１ｎを冷却することによって熱交換された空気が排出される排出口１２ｂが形成されたハウジング１２の内部に装着される。
【００３１】
実質的に，上記アセンブリーは，エンドプレート１３がハウジング１２にねじ結合によって着脱可能に結合されることで，上記ハウジング１２に固定設置される。
【００３２】
ここで，流入口１２ａは，ハウジング１２の上端一側に配置され，排出口１２ｂは，流入口１２ａに対向してハウジング１２の下端一側に配置される。しかし，このようなハウジング１２の構造は本実施形態が適用される二次電池モジュールの一例にすぎず，特にその構造に限定されない。
【００３３】
このような二次電池モジュール１０は，ハウジング１２の流入口１２ａを通じてハウジング１２の内部に流入してきた空気をハウジング１２の上部から下部に流通させ，ハウジング１２の排出口１２ｂを通じてハウジング１２の外部に排出されるように構成する。
【００３４】
この過程で，上記空気は，隔壁２０１，２０２，…，２０ｎを通過するようになり，単位電池１１１，１１２，…，１１ｎで発生した熱はこの空気によって熱交換され，冷却される。
【００３５】
以下，上記作用を可能にする本実施形態の二次電池モジュール１０について，より詳しく説明する。
【００３６】
図２は，上記隔壁２０１，２０２，…，２０ｎのうち，一つの隔壁を示した部分斜視図であり，図３は，図２に示した隔壁の部分側断面図である。
【００３７】
本実施形態で，図１に示した隔壁２０１，２０２，…，２０ｎは同一な形状からなるので，以下では一つの隔壁２０を例にあげて説明する。
【００３８】
図２，３を参照すれば，上記二次電池モジュール１０における隔壁２０は，ベース２１および上記ベース２１に設置される突出部材２２を含む。
【００３９】
本実施形態で，ベース２１は，プラスチック材質からなり，単位電池１１の側面とほぼ同一な大きさの板形状に形成され，上記突出部材２２は，球形状に形成されて，上記ベース２１の一面に一定の間隔をおいて付着される。
【００４０】
上記突出部材２２は，ベース２１の外側に突出するように上記ベース２１に付着され，その材質はセラミックからなるとしてもよい。
【００４１】
ベース２１および突出部材２２の付着のために，上記ベース２１の一面には突出部材２２を付着する位置に突出部材２２の形状に対応する形状の溝２３が形成され，突出部材２２は上記溝２３に挿入されて固定される。
【００４２】
ここで，突出部材２２は，上記突出部材２２が溝２３に強制嵌合（ｉｎｔｅｒｆｅｒｅｎｃｅ
ｆｉｔ）される方式で固定されるとしてもよく，また，接着剤で固定されてもよい。
【００４３】
さらに，突出部材２２が溝２３に固定された状態で，上記突出部材２２の高さ（図３におけるｈ）は，隔壁２０の厚さ（図３におけるｔ），つまり単位電池１１の間の間隔に直接影響を与えるので，上記高さ（ｈ）は電池モジュールの設計によって適切に調節されるとしてもよい。
【００４４】
このように形成される隔壁２０１，２０２，…，２０ｎは，上記単位電池の間に配置され，電池モジュール１０を構成する時に，ベース２１の一面は単位電池１１１，１１２，…，１１ｎの側面に密着させ，ベース２１の他面にある突出部材２２は単位電池１１２，…，１１ｎの他側面に密着させて，単位電池の間の間隔を一定に維持する。
【００４５】
この時，単位電池１１１，１１２，…，１１ｎ集合体の両端に配置される隔壁２０１および隔壁２０ｎのうち，隔壁２０１は，その突出部材２２をエンドプレート１３に密着させ，他の隔壁２０ｎは，そのベース２１をエンドプレート１３に密着させる。
【００４６】
これにより，単位電池１１１，１１２，…，１１ｎの間，およびエンドプレート１３と単位電池１１１，１１ｎとの間は，上記隔壁２０１，２０２，…，２０ｎによって一定の間隔が維持されるようになり，ハウジング１２の内部に流入した冷却用空気は，隔壁２０１，２０２，…，２０ｎの突起部材２２の間に形成される空間を通過しながら単位電池１１１，１１２，…，１１ｎから発生する熱を冷却する。
【００４７】
これとともに，各隔壁２０１，２０２，…，２０ｎの突出部材２２およびベース２１は，単位電池１１１，１１２，…，１１ｎに密着して，電池モジュールの使用時に，単位電池１１１，１１２，…，１１ｎが内部膨張して変形しようとする力に対向して単位電池１１１，１１２，…，１１ｎを支持する。
【００４８】
この時，複数の突出部材２２は，単位電池１１１，１１２，…，１１ｎの各支持部位に均等に分散配置され，単位電池１１１，１１２，…，１１ｎを支持するので，単位電池１１１，１１２，…，１１ｎに対する支持力が強化され，上記単位電池１１１，１１２，…，１１ｎはもちろん隔壁２０１，２０２，…，２０ｎの変形も防止することができるようになる。
【００４９】
さらに，本実施形態の突出部材２２は，絶縁物からなるので，隔壁２０１，２０２，…，２０ｎは，単位電池１１１，１１２，…，１１ｎ間における電気的短絡の防止のために，別途の絶縁部材を単位電池１１１，１１２，…，１１ｎの間に介在させなくてもよい。
【００５０】
必要に応じて，各隔壁２０１，２０２，…，２０ｎのベース２１も突出部材２２と同一な絶縁物とすることができる。
【００５１】
図４および図５は，本発明の他の実施形態による隔壁の部分側断面図である。図４の隔壁２０’は，側断面が傾いた台形からなる突出部材２２’を板形状のベース２１’に形成された溝２３’に挿入して形成される。
【００５２】
また，図５の隔壁２０”は，側断面が長方形からなる突出部材２２”を板形状のベース２１”に形成された溝２３”に挿入して形成される。
【００５３】
上記突出部材は，上記形状以外にも多様な形状に形成することができる。
【００５４】
図６は，本発明の他の実施形態による隔壁を示した図面である。
【００５５】
図６を参照すると，本実施形態の隔壁３０は，アルミニウムや銅などのように熱伝導性が優れている金属材質からなり，単位電池４０の側面とほぼ同一な大きさの板形状のベース３２と，上記ベース３２の一面に間隔をおいて外側に突出するように付着される複数のバー３４とを含む。
【００５６】
ここで，複数のバー３４は，円形の断面を有する棒形状に構成され，その材質はセラミックのような絶縁物からなる。
【００５７】
この実施形態でも，ベース３２およびバー３４の付着のために，上記ベース３２の表面にはバー３４が付着される位置にバー３４の形状と対応する形状の溝３６が長く延長形成されている。
【００５８】
ここで，バー３４は，溝３６に強制嵌合される方式や，接着剤による付着方式で固定される。
【００５９】
ここで，バー３４および溝２３は，上記形状以外にも，四角形，台形，および楕円形などの断面を有する棒形状や，これに対応する溝形状に多様に形成することができる。
【００６０】
この実施形態による隔壁３０の作用は，上記実施形態の隔壁と同一なので，その詳しい説明は省略する。
【００６１】
図７Ａ〜図７Ｄは本発明の他の実施形態による隔壁を示した部分側断面図である。
【００６２】
図７Ａ〜図７Ｄを参照すると，上記隔壁４２，４４，４６，４８は，各々上述した実施形態と同一な突出部材４２ａ，４４ａ，４６ａ，４８ａおよびベース４２ｂ，４４ｂ，４６ｂ，４８ｂが一体形成されている。
【００６３】
即ち，各々突出部材４２ａ，４４ａ，４６ａ，４８ａだけでなく，ベース４２ｂ，４４ｂ，４６ｂ，４８ｂもセラミックやプラスチックのような絶縁物から形成されるので，隔壁４２，４４，４６，４８は，これらを一体形成する。
【００６４】
ここで，突出部材４２ａ，４４ａ，４６ａ，４８ａは，図７Ａ〜図７Ｄのように，内部が空の形態に形成されるとしてもよく，内部が満たされた形態に形成されるとしてもよい。
【００６５】
図８Ａ〜８Ｄは，図７Ａ〜図７Ｄに示した隔壁の変形例を示した部分側断面図である。ここでは，上記図７Ａ〜７Ｄに示した隔壁と同等な隔壁５０，５２，５４，５６の突出部材５０ａ，５２ａ，５４ａ，５６ａの先端に，別途の板５０ｂ，５２ｂ，５４ｂ，５６ｂを付着して隔壁５０，５２，５４，５６を形成している。
【００６６】
かかる構造の隔壁５０，５２，５４，５６は，電池モジュールを構成する際，上述した実施形態に比べ，突出部材の代わりに単位電池の側面に板５０ｂ，５２ｂ，５４ｂ，５６ｂが接触するので，単位電池との接触面積が増加し，上記単位電池に対する支持力を一層強化することができる。ここで，板５０ｂ，５２ｂ，５４ｂ，５６ｂおよび隔壁５０，５２，５４，５６は，他の部材と同一な材質からなるのが好ましい。
【００６７】
図９Ａ〜９Ｈは，さらに他の隔壁の変形例を示している。図９Ａ〜９Ｈに示した隔壁６０，６２，６４，６６，６８，７０，７２，７４は，上記図７Ａ〜７Ｄに示した隔壁を２枚にして多様な形態に組合わせて構成している。
【００６８】
このような構造の隔壁６０，６２，６４，６６，６８，７０，７２，７４は，上述した実施形態の隔壁に比べて強度をより強化することができる。
【００６９】
一方，本実施形態において，隔壁の突出部材がベースに付着されて配置される時に，上記突出部材は下記の条件を満たして形成されるとしてもよい。
【００７０】
便宜上，図２に示した隔壁を基準にこれを説明する。
【００７１】
図１０を参照すると，突出部材２２がベース２１に連結されつつ交差して（ｓｔａｇｇｅｒｅｄ）配置される場合に，ある一列に位置する一つの突出部材２２を基準として，上記ある一列と，かかる突出部材２２を含む，上記ある一列に交差する他の列と，の間に形成される角度をβとする時，上記角度（β）は，３０°≦β≦１５０°の条件を満たす。さらに望ましくは，上記角度（β）は４５°≦β≦６０°の条件を満たす。
【００７２】
このような突出部材２２の配置により，ハウジング１２の流入口１２ａを通じて隔壁２０に流入した空気は，上記隔壁２０のいずれか一つの突出部材２２にぶつかると，上記突出部材２２を中心に両側に分散するようになる（図１０の矢印（１），（２）参照）。
【００７３】
このような方式で，隔壁２０を通過する空気は隔壁２０が含むすべての突出部材で分散して，その進行経路が変更されつつ流動し，この時，空気の流速は単位電池の冷却効率に影響を与える要素として作用する。
【００７４】
即ち，上記空気が適正な流速で流れなければ，この空気が隔壁２０を通過する時に，上記隔壁２０内で分散が円滑に行われなくなるので，所望の熱交換が行われずに単位電池の冷却効率が低下する。
【００７５】
また，上記空気が適正な流速で流れなければ，隔壁２０内に圧力降下（ｐｒｅｓｓｕｒｅ
ｄｒｏｐ）が増加し，これはハウジング１２内を通過する空気の流動に対する抵抗が大きくなることを意味する。従って，この時には，単位電池に対する冷却効率が低下するのはもちろん，上記流速を上げるためにハウジング１２内に空気を提供する手段（例：冷却ファン）の負荷が大きくなって，さらに他の問題点を招くようになる。
【００７６】
このような点を考慮して，本実施形態では，上記角度（β）を上記範囲内に維持し，上記空気が適正な流速で流れて，単位電池の冷却効率を最大にすることができるようにしている。
【００７７】
本件出願人は，数回の実験によって上記角度（β）が３０°より小さい場合には熱交換効率が非常に低下し，上記角度（β）が１５０°より大きい場合には空気の流速が非常に遅くなって，満足できる程度の単位電池の冷却効率をあげることができないことが実験によって分かっている。
【００７８】
このような電池モジュールは，高出力特性が要求されるハイブリッド自動車（ＨＥＶ），電気自動車（ＥＶ），無線掃除機，電動自転車，電動スクーターなどのようにモータを使用して作動する機器に有用に使用することができる。
【００７９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００８０】
例えば，隔壁のベースは，上述した実施形態のように板形状に形成されるだけでなく，突出部材と一体に形成されたり，または別個に連結して固定されるバー（ｂａｒ）形状の部材に形成することもできる。
【産業上の利用可能性】
【００８１】
本発明は,電池モジュールに関し，より詳しくは，単位電池の形状を維持可能な十分な強度を有し，単位電池の温度制御に効率的な隔壁を含む，電池モジュールに適用可能である。
【図面の簡単な説明】
【００８２】
【図１】本発明の実施形態による電池モジュールの構造を示した概略的な側断面図である。
【図２】本発明の実施形態による隔壁を示した斜視図である。
【図３】図２に示した隔壁の部分側断面図である。
【図４】本発明の他の実施形態による隔壁の部分側断面図である。
【図５】本発明の他の実施形態による隔壁の部分側断面図である。
【図６】本発明の他の実施形態による隔壁を示した斜視図である。
【図７Ａ】本発明の他の実施形態による隔壁を示した部分側断面図である。
【図７Ｂ】本発明の他の実施形態による隔壁を示した部分側断面図である。
【図７Ｃ】本発明の他の実施形態による隔壁を示した部分側断面図である。
【図７Ｄ】本発明の他の実施形態による隔壁を示した部分側断面図である。
【図８Ａ】本発明の他の実施形態による隔壁を示した部分側断面図である。
【図８Ｂ】本発明の他の実施形態による隔壁を示した部分側断面図である。
【図８Ｃ】本発明の他の実施形態による隔壁を示した部分側断面図である。
【図８Ｄ】本発明の他の実施形態による隔壁を示した部分側断面図である。
【図９Ａ】本発明の他の実施形態による隔壁を示した部分側断面図である。
【図９Ｂ】本発明の他の実施形態による隔壁を示した部分側断面図である。
【図９Ｃ】本発明の他の実施形態による隔壁を示した部分側断面図である。
【図９Ｄ】本発明の他の実施形態による隔壁を示した部分側断面図である。
【図９Ｅ】本発明の他の実施形態による隔壁を示した部分側断面図である。
【図９Ｆ】本発明の他の実施形態による隔壁を示した部分側断面図である。
【図９Ｇ】本発明の他の実施形態による隔壁を示した部分側断面図である。
【図９Ｈ】本発明の他の実施形態による隔壁を示した部分側断面図である。
【図１０】図２に示した隔壁の作用状態を説明するために示した図面である。
【符号の説明】
【００８３】
１０    電池モジュール
１１，４０  単位電池
１２    ハウジング
１２ａ  流入口
１２ｂ  排出口
１３    エンドプレート
１４    リストレイントロッド
２０，３０  隔壁
２１    ベース
２２    突出部材
２３，３６  溝
３４    バー
【図１】
2006294626.tif 000003
【図２】
2006294626.tif 000004
【図３】
2006294626.tif 000005
【図４】
2006294626.tif 000006
【図５】
2006294626.tif 000007
【図６】
2006294626.tif 000008
【図７Ａ】
2006294626.tif 000009
【図７Ｂ】
2006294626.tif 000010
【図７Ｃ】
2006294626.tif 000011
【図７Ｄ】
2006294626.tif 000012
【図８Ａ】
2006294626.tif 000013
【図８Ｂ】
2006294626.tif 000014
【図８Ｃ】
2006294626.tif 000015
【図８Ｄ】
2006294626.tif 000016
【図９Ａ】
2006294626.tif 000017
【図９Ｂ】
2006294626.tif 000018
【図９Ｃ】
2006294626.tif 000019
【図９Ｄ】
2006294626.tif 000020
【図９Ｅ】
2006294626.tif 000021
【図９Ｆ】
2006294626.tif 000022
【図９Ｇ】
2006294626.tif 000023
【図９Ｈ】
2006294626.tif 000024
【図１０】
2006294626.tif 000025